(57)【特許請求の範囲】
【請求項１】
一側方に上方重合部を設けた瓦本体の他側方に下方重合部を突設した
、屋根下地上に千鳥葺きする様にした瓦において、
瓦本体の頭側部分に、屋根下地に打ち込む固定具の挿通孔を形成し、尻側の両隅部に、
上記固定具の挿通切欠を形成すると共に、下方重合部側の挿通切欠は、下方重合部を、そ
の尻側が瓦本体の尻側端面まで至らない様にすることで形成したことを特徴とする平板瓦
。
【請求項２】
挿通孔を、瓦本体の上面より突出した突出部の上面中央より瓦本体の裏面に至る様に形成したことを特徴とする請求項１記載の平板瓦。
【請求項３】
挿通孔を、下方拡開するテーパー状に形成したことを特徴とする請求項１又は２記載の平板瓦。
【請求項４】
瓦本体の上面に、葺設される上方の平板瓦の頭側隅部を揃えるための基準線を設けたことを特徴とする請求項１、２又は３記載の平板瓦。
【発明の詳細な説明】
【０００１】
【発明の属する技術分野】
本発明は、葺設状態において耐風機能を具備させる様にした平板瓦に関する。
【０００２】
【従来の技術】
従来、かかる平板瓦にあっては、一側方に上方重合部を設けた瓦本体の他側方に下方重合部を突設したもので、葺設された平板瓦の下方重合部上に、葺設する平板瓦の上方重合部を重ねる様にして千鳥葺きしている。
そして、葺設された尻側に形成された釘孔に釘を挿通して屋根下地に打ち込むことで、平板瓦を屋根下地に固定していた。
【０００３】
【発明が解決しようとする課題】
しかし、上記葺設構造にあっては、平板瓦の頭側が固定されていないため、屋根の下方側から吹き上げる強風に対し葺設状態の平板瓦が尻側を支点に捲くれ上がる様に浮き上がってしまい、最終的に釘が抜けたり瓦自体が割れるなどして吹き飛んでしまう可能性があるなど解決せねばならない課題があった。
【０００４】
【課題を解決するための手段】
本発明は、上記従来技術に基づく、葺設状態の平板瓦の頭側は強風下で浮き上がり易い
課題に鑑み、瓦本体の頭側部分に、屋根下地に打ち込む固定具の挿通孔を形成し、尻側の
両隅部に、上記固定具の挿通切欠を形成すると共に、下方重合部側の挿通切欠は、下方重
合部を、その尻側が瓦本体の尻側端面まで至らない様にすることで形成した平板瓦を千鳥
葺きすると共に、屋根下地上に載置された平板瓦の挿通孔内に挿通し、葺設、固定されて
いる下方の隣接する２枚の尻側の挿通切欠を挿通した、即ち２枚の平板瓦の挿通切欠で２
枚の平板瓦間に形成された隙間を挿通した固定具を屋根下地に打ち込むことによって、平
板瓦の頭側を屋根下地に固定する様にして、上記課題を解決する。
【０００５】
【発明の実施の形態】
以下本発明の一実施例を図面に基づいて説明する。
図１は、本発明に係る平板瓦の平面図であり、図２、３は、図１の左右側面図であり、図４は、図１の平板瓦の葺設状態を示す平面図であり、図５は、図４のＸーＸ断面の要部拡大図である。
図４に示す様に、屋根下地Ａ上に千鳥葺きする平板瓦１の基本的構造としては、図１〜３に示す様に、一側方に上方重合部３が形成された平面視略矩形状の瓦本体２の他側方に下方重合部４を突設し、かかる平板瓦１の尻側の外縁部に沿って水返し５が形成され、瓦本体２の頭側に垂れ６が形成され、下方重合部４の尻側及び外側部に沿って水返し８が形成されている。
又、瓦本体２の頭側部分に、後述する固定具15の挿通孔10を形成し、該挿通孔10は、瓦本体２の上面の略中央に設けた突出部11の上面中央より瓦本体２の裏面尚、挿通孔10にあっては、図５に示す様に、下方拡開するテーパー状に形成するのが望ましく、かかる形状にすることで、突出部11の上面と防水パッキン16の間からの毛細管現象による雨水の侵入が確実に阻止される。
【０００６】
又、平板瓦１の尻側の両隅部に、後述する固定具15の挿通切欠12、13を形成し、他側方
の挿通切欠13は、下方重合部４を、その尻側が瓦本体２の尻側端面まで至らない様に形成
することで、平板瓦１の尻側の他側方の隅部に形成されている。
【０００７】
又、挿通孔10内に挿通させる、長寸な釘、ネジ等の固定具15にあっては、その頭部15a の下部に防水パッキン16を取り付けるのが望ましく、更に防水パッキン16の径を突出部11の上面より大径にするのが望ましく、そうすれば、突出部11の上面と防水パッキン16の間に雨水がかからず、毛細管現象による当該隙間からの雨水の侵入が確実に阻止される。
【０００８】
又、図１の平板瓦１における瓦本体２の尻側に、該尻側を屋根下地Ａに固定するための釘、ネジ等の固定具（図示せず）用の釘孔17、17a が形成されているが、無くても良い。
又、平板瓦１における瓦本体２の上面に、葺設される上方の平板瓦１の頭側の隅部を揃えるための基準線18を設けている。
【０００９】
次に、平板瓦１の葺設方法について説明する。
（１）屋根下地Ａ上に葺設された平板瓦１の尻側に、葺設する平板瓦１の頭側を重ねると共に、葺設された下方の平板瓦１の基準線18に、葺設する平板瓦１の頭側を揃える様にして、平板瓦１を屋根下地Ａ上に載置する。
（２）上方の平板瓦１の頭側に形成された挿通孔10内を挿通し、下方の２枚の平板瓦１の尻側に形成された挿通切欠12、13内を挿通した、即ち該挿通切欠12、13で２枚の平板瓦１間に形成された隙間を挿通した固定具15を屋根下地に打ち込んで、上方の平板瓦１の頭側を屋根下地Ａ上に固定すると共に、下方の平板瓦１尻側を、上方の平板瓦１と屋根下地Ａで挟んで固定する。
（３）平板瓦１を千鳥状に配置する様に（１）〜（２）を繰り返し行う。
【００１０】
尚、（１）の工程において、必要に応じて釘孔17、17a 内を挿通させた固定具（図示せず）を屋根下地Ａに打ち込んで、平板瓦１の尻側を屋根下地Ａに固定する様にしても良い。
【００１１】
次に、本発明に係る平板瓦の作用について説明する。
葺設状態における平板瓦１の頭側は、固定具15により屋根下地Ａに固定されることから、屋根上を吹き上がる様な強風下でも頭側が浮き上がらず、微動だにしない。
又、葺設状態における平板瓦１の尻側は、上方の平板瓦１の頭側と屋根下地Ａの間に挟まれて固定され、場合によっては、釘孔17、17a 内を挿通させた固定具（図示せず）で屋根下地Ａに固定される。
【００１２】
【発明の効果】
要するに本発明は、一側方に上方重合部３を設けた瓦本体２の他側方に下方重合部４を突設した、屋根下地Ａ上に千鳥葺きする様にした瓦において、瓦本体２の頭側部分に、屋根下地Ａに打ち込む固定具15の挿通孔10を形成したので、葺設状態における平板瓦１の頭側を屋根下地Ａに固定することが出来るため、強風下であっても平板瓦１が吹き飛ばされない堅牢な屋根にすることが出来る。
又、尻側の両隅部に、上記固定具15の挿通切欠12、13を形成すると共に、下方重合部４側の挿通切欠13は、下方重合部４を、その尻側が瓦本体２の尻側端面まで至らない様にすることで形成したので、葺設状態における下方の平板瓦１を割らずに、固定具15を確実に屋根下地Ａに打ち込むことが出来る。
よって、葺設状態の平板瓦１は、頭側を固定具15で屋根下地Ａに固定するとが出来、尻側を上方の平板瓦１の頭側と屋根下地Ａの間に挟んで固定することが出来るため、従来と同様の葺設作業で耐風機能が具備された屋根を構築することが出来る。
【００１３】
又、挿通孔10を、瓦本体２の上面より突出した突出部11の上面中央より瓦本体の裏面に至る様に形成したので、挿通孔10の上方開口部は雨水が流下する瓦本体２の上面より離間させることが出来るため、かかる挿通孔10の上方開口部からの雨水の侵入を確実に阻止することが出来、更に打ち込み時の衝撃が作用する部位が厚くなるため、打ち込み時の平板瓦１の割れを抑止することが出来る。
【００１４】
又、挿通孔10を、下方拡開するテーパー状に形成したので、平板瓦１側と防水パッキン16の間からの毛細管現象による雨水の侵入を阻止出来るため、当該部位からの雨漏りを防止することが出来る。
【００１５】
又、瓦本体２の上面に、葺設される上方の平板瓦１の頭側隅部を揃えるための基準線18を設けたので、葺設された下方の平板瓦１の基準線18に、葺設する平板瓦１の頭側を揃えるだけでその平板瓦１を位置決め出来るため、葺設作業の簡易化を図ることが出来る等その実用的効果甚だ大である。
【図面の簡単な説明】
【図１】本発明に係る平板瓦の平面図である。
【図２】図１の右側面図である。
【図３】図１の左側面図である。
【図４】図１の平板瓦の葺設状態を示す平面図である。
【図５】図４のＸーＸ断面の要部拡大図である。
【符号の説明】
１  平板瓦
２  瓦本体
３  上方重合部
４  下方重合部
10  挿通孔
11  突出部
13  挿通切欠
14  挿通切欠
15  固定具
18  基準線
Ａ  屋根下地
【図１】
0003546164.tif 000002
【図２】
0003546164.tif 000003
【図３】
0003546164.tif 000004
【図４】
0003546164.tif 000005
【図５】
0003546164.tif 000006